(57)【特許請求の範囲】
【請求項１】
クロロアセタミド系除草剤、フェントラザミド、カフェンストロールおよびインダノファンからなる群より選ばれる１種以上の超長鎖脂肪酸合成阻害剤から選ばれる１種以上を有効成分として含有することを特徴とするたばこわき芽抑制剤。
【請求項２】
クロロアセタミド系除草剤が、テニルクロール、メトラクロール、アラクロール、ジメテナミド、ブタクロール、プレチラクロール、またはプロピソクロールである請求項１に記載のたばこわき芽抑制剤。
【請求項３】
さらに、クロルタールジメチルを含有する請求項１または２に記載のたばこわき芽抑制剤。
【請求項４】
カフェンストロールまたはテニルクロールとクロルタールジメチルを含有する請求項３に記載のたばこわき芽抑制剤。
【請求項５】
さらに、炭素数６〜２０の脂肪族アルコールを含有する請求項１または２に記載のたばこわき芽抑制剤。
【請求項６】
炭素数６〜２０の脂肪族アルコールが、デシルアルコール、２−エチルヘキサノール、またはゲラニオールである請求項５に記載のたばこわき芽抑制剤。
【請求項７】
請求項１〜６のいずれかに記載のたばこわき芽抑制剤を施用することを特徴とするたばこわき芽抑制方法。
【発明の詳細な説明】
【技術分野】
【０００１】
本発明は特定の超長鎖脂肪酸合成阻害剤を必須有効成分とするたばこわき芽抑制剤およびたばこわき芽抑制方法に関する。さらに詳しく言えば、クロロアセタミド系除草剤、フェントラザミド、カフェンストロール、およびインダノファンから選択される超長鎖脂肪酸合成阻害剤を有効成分とするたばこわき芽抑制剤、および前記超長鎖脂肪酸合成阻害剤とクロルタールジメチルまたは炭素数６〜２０の脂肪族アルコールとを有効成分とする相乗効果を示すたばこわき芽抑制剤、並びに前記たばこわき芽抑制剤を施用するたばこわき芽抑制方法に関する。
【背景技術】
【０００２】
たばこ作における収穫間際のわき芽除去作業は、葉たばこの収量と品質を確保する上で必要不可欠であるが、これを手作業で行うとなると大変な労力を必要とする。このため、現在では、たばこわき芽抑制剤を散布する方法が開発され、普及している。【０００３】
昭和３０年代より普及してきたたばこわき芽抑制剤としては、浸透移行型の作用機作をもつマレイン酸ヒドラジドまたはその塩を有効成分とするものがあるが、これらの薬剤の実用的な使用濃度は５０００ｐｐｍ前後と高濃度であり、また薬効の持続性が短いことから、大量の薬剤が必要とされることが問題とされてきた。さらに、マレイン酸ヒドラジドの分解産物であるヒドラジンが発がん性を示すことから、現在は利用が規制されている。【０００４】
そこで、近年は、幹に接触させて散布する接触型のたばこわき芽抑制剤が用いられている。接触型の抑制剤としては、例えば、飽和脂肪族アルコールを有効成分とするもの、ジニトロアニリン系の化学物質を有効成分とするものがある。【０００５】
飽和脂肪族アルコールを有効成分とするわき芽抑制剤は、わき芽の接触的な枯殺作用は高い。しかし、飽和脂肪族アルコールを有効成分とする抑制剤は、薬効の持続性に欠け、生育後期のわき芽伸長防止のためには少なくとも２回の薬剤散布を必要とする。また、使用時に散布薬剤が葉に付着すると、白化現象および他の薬害効果ならびに葉の品質の低下を引き起こす。さらに、これらの抑制剤が滴下して植物基部に蓄積するにつれて、全ての茎基を壊死させ、植物体を殺すことになる。【０００６】
一方、ジニトロアニリン系の化学物質を有効成分とする抑制剤は、例えば、米国特許第３６７２８６６号明細書（特許文献１）、同第４０４６８０９号明細書（特許文献２）および同第４１２３２５０号明細書（特許文献３）に開示されている。ジニトロアニリン系の化合物を有効成分とする抑制剤は、ある種の有機溶剤を含有しており、ジニトロアニリン系の化学物質と有機溶剤とがわき芽に接触することによりわき芽を脱水、壊死させるとともに、わき芽幼芽部またはわき芽除去後の傷口から前述した化学物質を吸収させ、細胞分裂を阻害してわき芽の生長を止める作用を有し、わき芽の発生ならびに伸長抑制効果は高い。【０００７】
しかしながら、ジニトロアニリン系の化学物質を有効成分とする抑制剤は、散布直後に上位節の若い葉の奇形、展開不足、葉肉壊死、中・上位葉の葉柄部の折損、不定根の発根障害、壊死などの薬害をしばしば引き起こすほか、葉柄基部の薬害による傷口から空洞病、菌核病、灰色かび病などの病害を誘発し、葉たばこの収量、品質に悪影響を及ぼすなどの問題点がある。【０００８】
米国特許第２９２３６３４号明細書（特許文献４）にはクロルタールジメチルを除草剤として使用することが記載されている。また、特公平５−１９５２１号公報（特許文献５、US4627869）には、クロルタールジメチルをたばこわき芽抑制剤として使用することが記載されている。
しかしながら、特許文献５に記載されているクロルタールジメチルを有効成分とするたばこわき芽抑制剤の実使用濃度は、１％以上と非常に高濃度であり、また薬効の持続性が短いことから、収穫までに繰り返し使用しなければならないため、大量の薬剤が必要となるという問題がある。【０００９】
このように、現在たばこ栽培で使用されているわき芽抑制剤は、薬効の持続性および薬害発生の見地から見ると、未だ解決すべき点が多い。
従って、薬効持続性に優れ、薬害および病害を誘発せず、労働生産性の向上を図ることができるたばこわき芽抑制剤が望まれていた。【００１０】
本発明において使用する超長鎖脂肪酸合成阻害剤は公知の化合物であり、例えば、特公昭６１−１６３９５号公報（特許文献６、US4802907）、英国特許第１４３８３１２号明細書（特許文献７）、米国特許第３５４７６２０号明細書（特許文献８）、英国特許第２１１４５６６号明細書（特許文献９）、特公平６−６０１６７号公報（特許文献１０、US5147445）、特許第２５８２８９８号公報（特許文献１１、US5076830）、特許第２８２２１４３号公報（特許文献１２、US5362704）、ハンガリー特許第２０８２２４号明細書（特許文献１３）、特開２００４−３５９６１９号公報（特許文献１４）、特表２００５−５２９９４３号公報（特許文献１５、WO2003/105587）、特表２００８−５２４１４８号公報（特許文献１６、WO2006/063835）には、それぞれテニルクロール、メトラクロール、アラクロール、ジメテナミド、カフェンストロール、インダノファン、フェントラザミド、プロピソクロールを除草剤として使用することが記載されている。しかし、超長鎖脂肪酸合成阻害剤は、これまでたばこわき芽抑制剤として使用されたことはなかった。
【先行技術文献】
【特許文献】
【００１１】
【特許文献１】米国特許第３６７２８６６号明細書
【特許文献２】米国特許第４０４６８０９号明細書
【特許文献３】米国特許第４１２３２５０号明細書
【特許文献４】米国特許第２９２３６３４号明細書
【特許文献５】特公平５−１９５２１号公報
【特許文献６】特公昭６１−１６３９５号公報
【特許文献７】英国特許第１４３８３１２号明細書
【特許文献８】米国特許第３５４７６２０号明細書
【特許文献９】英国特許第２１１４５６６号明細書
【特許文献１０】特公平６−６０１６７号公報
【特許文献１１】特許第２５８２８９８号公報
【特許文献１２】特許第２８２２１４３号公報
【特許文献１３】ハンガリー特許２０８２２４号明細書
【特許文献１４】特開２００４−３５９６１９号公報
【特許文献１５】特表２００５−５２９９４３号公報
【特許文献１６】特表２００８−５２４１４８号公報
【発明の概要】
【発明が解決しようとする課題】
【００１２】
本発明は、低濃度で薬効持続性に優れ、薬害および病害を誘発せず、労働生産性の向上を図ることができるたばこわき芽抑制剤を提供することを目的とする。
【課題を解決するための手段】
【００１３】
本発明者らは、新しいたばこわき芽抑制剤を開発すべく、多種の化合物について広範に検討を行った。その結果、超長鎖脂肪酸合成阻害剤が、低濃度でたばこわき芽の発生および成長を長期にわたって抑制すること、およびたばこの茎葉部に対して薬害がないことを見出した。【００１４】
さらに、超長鎖脂肪酸合成阻害剤と、クロルタールジメチルまたは炭素数６〜２０の脂肪族アルコールを組み合わせると、たばこわき芽の発生および成長の抑制効果が相乗的に向上することを見出し、本発明を完成した。
本発明において使用する超長鎖脂肪酸合成阻害剤は、除草剤としては公知であるが、たばこわき芽抑制剤として使用することを記載した文献はこれまで存在しない。【００１５】
本発明は、以下のたばこわき芽抑制剤およびたばこわき芽抑制方法に関する。
（１）超長鎖脂肪酸合成阻害剤から選ばれる１種以上を有効成分として含有することを特徴とするたばこわき芽抑制剤。
（２）超長鎖脂肪酸合成阻害剤が、クロロアセタミド系除草剤、フェントラザミド、カフェンストロールおよびインダノファンからなる群より選ばれる１種以上である（１）に記載のたばこわき芽抑制剤。
（３）クロロアセタミド系除草剤が、テニルクロール、メトラクロール、アラクロール、ジメテナミド、ブタクロール、プレチラクロール、またはプロピソクロールである（２）に記載のたばこわき芽抑制剤。
（４）さらに、クロルタールジメチルを含有する（１）〜（３）のいずれかに記載のたばこわき芽抑制剤。
（５）カフェンストロールまたはテニルクロールとクロルタールジメチルを含有する（４）に記載のたばこわき芽抑制剤。
（６）さらに、炭素数６〜２０の脂肪族アルコールを含有する（１）〜（３）のいずれかに記載のたばこわき芽抑制剤。
（７）炭素数６〜２０の脂肪族アルコールが、デシルアルコール、２−エチルヘキサノール、またはゲラニオールである（６）に記載のたばこわき芽抑制剤。
（８）（１）〜（７）のいずれかに記載のたばこわき芽抑制剤を施用することを特徴とするたばこわき芽抑制方法。
【発明の効果】
【００１６】
本発明のたばこわき芽抑制剤は、高いわき芽抑制効果を有し、薬効持続性にも優れている。しかも、薬害の発生が茎葉部および根部ともに認められない。従って、たばこの栽培において収量の増大、品質の向上と、わき芽取り作業の省略による労働生産性の向上を図ることができる。
【発明を実施するための形態】
【００１７】
本発明で用いられる超長鎖脂肪酸合成阻害剤としては、クロロアセトアミド系化合物、オキシアセトアミド系化合物、アルカンアミド系化合物などが挙げられる。
【００１８】
クロロアセトアミド系化合物としては、具体的には、アセトクロ−ル、アラクロール、アリドクロール、キシラクロール、ジエタチル−エチル、ジメタクロール、ジメテナミド、ジメテナミド−Ｐ、テニルクロール、デラクロール、テルブクロール、ブタクロール、ブテナクロール、プリナクロール、プレチラクロール、プロパクロール、ペトキサミド、メタザクロール、メトラクロール、Ｓ−メトラクロール、プロピソクロールなどが挙げられる。
【００１９】
オキシアセトアミド系化合物としては、具体的には、フルフェナセット、メフェナセットなどが挙げられる。
アルカンアミド系化合物としては、ジフェナミド、ナプロアニリド、ナプロパミドなどが挙げられる。
【００２０】
上記以外の超長鎖脂肪酸合成阻害剤としては、例えば、フェントラザミド、カフェンストロール、アニロホス、ピペロホス、インダノファン、イプフェンカルバゾン、トリジファン、エプロナズなどが挙げられる。
【００２１】
たばこわき芽の発生および成長に対する抑制効果を考慮すると、クロロアセトアミド系化合物としては、テニルクロール、メトラクロール、アラクロール、ジメテナミド、ブタクロール、プレチラクロール、またはプロピソクロールが特に望ましく、上記以外の超長鎖脂肪酸合成阻害剤としては、フェントラザミド、カフェンストロール、またはインダノファンが特に望ましい。
【００２２】
上記超長鎖脂肪酸合成阻害剤のみを有効成分として含有する本発明たばこわき芽抑制剤のたばこへの処理濃度は、超長鎖脂肪酸合成阻害剤の濃度が０．０５〜０．５質量％であればよい。
【００２３】
さらに、上記超長鎖脂肪酸合成阻害剤を、クロルタールジメチルまたは炭素数６〜２０の脂肪族アルコールと併用することにより、たばこわき芽の発生および成長の抑制効果とその持続性を相乗的に向上させることができる。
【００２４】
クロルタールジメチルと併用する場合の超長鎖脂肪酸合成阻害剤は、たばこわき芽の発生および成長に対する抑制効果から、テニルクロールまたはカフェンストロールが好ましい。
【００２５】
なお、クロルタールジメチルと超長鎖脂肪酸合成阻害剤を併用する本発明のたばこわき芽抑制剤には、クロルタールジメチルと超長鎖脂肪酸合成阻害剤をそれぞれ単独で製剤化し、使用前に適宜混合する態様も含まれる。
【００２６】
超長鎖脂肪酸合成阻害剤とクロルタールジメチルとを併用する場合、本発明たばこわき芽抑制剤のたばこへの処理濃度は、上述した超長鎖脂肪酸合成阻害剤から選ばれる１種以上の有効成分の濃度が０．０００１％〜０．１質量％、クロルタールジメチルの濃度が０．００１〜３質量％であればよい。
【００２７】
超長鎖脂肪酸合成阻害剤とクロルタールジメチルとの混合割合は特に制限されず、選択される超長鎖脂肪酸合成阻害剤の組合せによって広い範囲で選択されるが、混合比率は質量比で、１：１０００〜１０００：１が望ましく、１：３００〜３００：１がより望ましい。
【００２８】
本発明で用いられる炭素数６〜２０の脂肪族アルコールとしては、アセトングリセリルアセタール、アンブリノール、α−ビサボロール、ｄ−ボルネオール、ｌ−ボルネオール、２−ブトキシエタノール、α−カンフォレノール、ｌ−カルベオール、カルベオール、β−カルオフィレンアルコール、セドレノール、セドロール、シトラール、シトロネラール、シトロネロール、ｌ−シトロネロール、シクロヘキサノール、２−シクロヘキシルエタノール、２，４−デカジエノール、３−デカノール、デシルアルコール、２−デセノール、９−デセノール、４−デセノール、ジヒドロカルベオール、７，８−ジヒドロ−β−イオノール、３，７−ジメチル−６−オクテン−３−オール、ジヒドロミルセノール、ジヒドロペリリルアルコール、２，５−ジメチル−１，４−ジチアン−２，５−ジオール、２，６−ジメチル−４−ヘプタノール、３，７−ジメチル−１，５，７−オクタトリエン−３−オール、２，６−ジメチル−２−ヘプタノール、３，６−ジメチル−３−オクタノール、２，４−ジメチル−４−ノナノール、２−ドデカノール、ドデカノール、２−ドデセノール、エレモール、２−エチルブタノール、２−エチルフェンコール、２−エチルヘキサノール、ファルネソール、フェンキルアルコール、ゲラニオール、ゲラニルリナロール、ヘプタデカノール、ヘプタナールグリセリルアセタール、２−ヘプタノール、３−ヘプタノール、４−ヘプタノール、ヘプタノール、１−ヘプテン−３−オール、２−ヘプテノール、３−ヘプテノール、cis−４−ヘプテノール、ヘキサデカノール、２，４−ヘキサジエノール、ヘキサナールグリセリルアセタール、ヘキサノール、２−ヘキサノール、３−ヘキサノール、４−ヘキサノール、１−ヘキセン−３−オール、trans−２−ヘキセナールグリセリルアセタール、２−ヘキセノール、３−ヘキセノール、cis−２−ヘキセノール、cis−３ヘキセノール、cis−４−ヘキセノール、trans−２−ヘキセノール、trans−３−ヘキセノール、trans−４−ヘキセノール、ヒドロキシシトロネラールジエチルアセタール、ヒドロキシシトロネロール、α−イオノール、β−イオノール、イソボルネオール、イソジヒドロカルベオール、イソゲラニオール、イソフィトール、イソプレゴール、イソバレルアルデヒドグリセリルアセタール、ラバンジュロール、８−ｐ−メンテン−１，２−ジオール、リナロール、リナノールオキシド、２−ｐ−メンテン−１，２−ジオール、２，８−ｐ−メンタジエン−１−オール、１，８−ｐ−メンタジエン−４−オール、メンタジエノール、ｐ−メンタン−２−オール、ｐ−メンタン−７−オール、ｐ−メンタン−８−オール、８−ｐ−メンタン−７−オール、ｌ−メントール、ｄｌ−メントール、３−（メントキシ）−１，２−プロパンジール、３−メチル−２−ペンタノール、４−メチル−２−ペンタノール、６−メチル−３−ヘプタノール、５−メチル−３−ヘプタノール、２−メチル−３−ヘキサノール、３−メチル−３−ペンタノール、６−メチル−５−ヘプテン−２−オール、２−メチル−５−ヘプテン−２−オール、５−メチルヘキサノール、２−メチルペンタノール、３−メチルペンタノール、４−メチルペンタノール、３−（メチルチオ）ヘキサノール���ミルセノール、ミルテノール、ネオジヒドロカルベオール、α−ネオメントール、ネオメントール、ネロール、cis−ネロリドール、trans−ネロリドール、ネロリドール、２，４−ノナジエノール、３，６−ノナジエノール、trans，cis−２，６−ノナジエノール、ノナジエノール、ノナノール、２−ノナノール、３−ノナノール、１−ノネン−３−オール、３−ノネノール、６−ノネノール、cis−２−ノネノール、trans−２−ノネノール、２，６−ジメチル−５，７−オクタジエン−２−オール、１，５−オクタジエン−３−オール、オクタデカノール、３，５−オクタジエノール、１，３−オクタンジオール、２−オクタノール、３−オクタノール、オクタノール、１−オクテン−３−オール、２−オクテン−４−オール、２−オクテノール、３−オクテノール、cis−５−オクテノール、cis−９−オクタデセノール、ペンタデカノール、ペリラアルコール、フィトール、ピノカルベオール、ピペリトール、ロジノール、α−サンタロール、スクラレオール、テルピネオール、１−テルピネオール、４−テルピネオール、α−テルピネオール、β−テルピネオール、４−tert−ブチルシクロヘキサノール、テトラデカノール、テトラヒドロクミノール、３，７−ジメチルオクタノール、３，７−ジメチル−２−オクタノール、２，６−ジメチル−２−オクタノール、３−ツヤノール、サビネンハイドレート、トリデカノール、２−トリデセノール、３，３，５−トリメチルシクロヘキサノール、３，５，５−トリメチルヘキサノール、２，４−ウンデカジエノール、２−ウンデカノール、ウンデカノール、cis，cis−１，５，８−ウンデカトリエン−３−オール、１０−ウンデセノール、２−ウンデセノール、ベルベノール、ベチベロール、ビリジフロロール、３−ｌ−メントキシ−２−メチルプロパン−１，２−ジオール、シトラールグリセリルアセタール、メントン１，２，−グリセリルアセタール、１−ｐ−メンテン−９−オール、１，２−ジヒドロリモネン−１０−オール、２，３，４−トリメチル−３−ペンタノール、２，４−ジメチルシクロヘキシルメタノール、２−メチル−１−ヘプテン−３−オール、２−tert−ブチルシクロヘキサノール、３−エチル−３−オクタノール、４−イソプロピルシクロヘキサノール、５−ヘキセノール、５−オクテン−１，３−ジオール、６−ヒドロキシジヒドロテアスピラン、８−エチル−１，５−ジメチルビシクロ［３．２．１］オクタン−８−オール、cis−３−ヘプテノール、cis−４−オクテノール、シクロドデカノール、α−リモネン−１０−オール、ｄ−trans，cis−１（７），８−ｐ−メンタジエン−２−オール、３，７−ジメチル−１，６−ノナジエン−３−オール、リナロールオキシド（ピラノイド）、ケルキボロール、ネロリドールオキシド、ヌートカトール、ｐ−メンタン−３，８−ジオール、サンタロール、テトラヒドロヌートカトールなどが挙げられる。
【００２９】
超長鎖脂肪酸合成阻害剤との相性等を考慮すると、炭素数６〜２０の脂肪族アルコールとしては、デシルアルコール、２−エチルヘキサノールまたは、ゲラニオールが特に望ましい。
【００３０】
超長鎖脂肪酸合成阻害剤と炭素数６〜２０の脂肪族アルコールとの混合割合は特に制限されず、選択される超長鎖脂肪酸合成阻害剤と脂肪族アルコールの組合せによって広い範囲で選択される。
【００３１】
なお、超長鎖脂肪酸合成阻害剤と炭素数６〜２０の脂肪族アルコールを有効成分として併用する本発明のたばこわき芽抑制剤には、両成分をそれぞれ単独で製剤化し、使用前に適宜混合する態様も含まれる。
超長鎖脂肪酸合成阻害剤と炭素数６〜２０の脂肪族アルコールとを併用する場合、本発明たばこわき芽抑制剤のたばこへの処理濃度は、上述した超長鎖脂肪酸合成阻害剤から選ばれる１種以上の有効成分が０．０１〜０．３質量％であればよい。
【００３２】
また、超長鎖脂肪酸合成阻害剤と炭素数６〜２０の脂肪族アルコールとを併用する場合、上述した超長鎖脂肪酸合成阻害剤から選ばれる１種以上の有効成分と炭素数６〜２０の脂肪族アルコールの混合比率は質量比で、通常１：１０００〜１０００：１、好ましくは、１：３００〜３００：１である。
【００３３】
本発明たばこわき芽抑制剤は、他の何らの成分を加えず、そのまま使用しても良いが、通常は、固体担体、液体担体、またはガス担体と混合し、さらに必要に応じて界面活性剤、増量剤、着色剤、結合剤、凍結防止剤、紫外線吸収剤などを添加して、油剤、乳剤、可溶化剤、水和剤、懸濁剤、フロアブル剤、粉剤等に製剤化して施用してもよい。
【００３４】
界面活性剤としては特に限定されるものではないが、例えば、フェニルフェノールスルホン酸ホルムアルデヒド縮合物、ジオクチルスルホコハク酸ナトリウム、アルキルナフタレンスルホネートナトリウム、ポリオキシエチレンアルキルフェニルエーテル、ナフタレンスルホン酸ナトリウム縮合物、ポリオキシエチレンアルキルフェニルエーテルスルホアセテートナトリウム、ポリオキシエチレンアルキルフェニルエーテルサルフェートアンモニウム、酸化エチレン−酸化プロピレン共重合物、アルケニルスルホネートなどが挙げられる。
【００３５】
増量剤としては、特に限定されるものではないが、例えば、大豆粉、タバコ粉、小麦粉、木粉などの植物性粉末；クレー、ベントナイト、酸性白土、ラジオライトなどの粘土鉱物類；滑石粉、ロウ石粉などのタルク類；珪藻土、雲母粉などの鉱物性粉末；重曹、炭酸カルシウム、アルミナ、活性炭などが挙げられる。
【００３６】
着色剤としては、特に限定されるものではないが、例えば、酸化鉄、酸化チタン、プルシアンブルーなどの無機顔料類；アリザリン染料、アゾ染料、または金属フタロシアニン染料などの有機染料類；鉄、マンガン、ボロン、銅、コバルト、モリブデン、または亜鉛などの微量要素などが挙げられる。
【００３７】
結合剤としては、特に限定されるものではないが、例えば、カルボキシルメチルセルロースナトリウム塩、デンプン、リグニンスルホン酸ナトリウム、デキストリンポリビニルアルコールなどが挙げられる。
【００３８】
凍結防止剤としては、特に限定されるものではないが、例えば、グリセリン、エチレングリコール、プロピレングリコールなどが挙げられる。
紫外線吸収剤としては、特に限定されるものではないが、例えば、置換ベンゾフェノン、ジフェニルアクリロニトリルエステル、または桂皮酸エステルなどが挙げられる。
【００３９】
本発明のたばこわき芽抑制剤により、わき芽の発生・伸長が抑制されるたばこ（Nicotiana tabacum）栽培品種としては、松川、だるま、阿波、白遠州に代表される在来種（Domestic）、コーカー３１９、バージニア１１５、エムシー１号、沖縄２号、ブライトイエロー４号、つくば１号、つくば２号に代表される黄色種（Flue-cured）、バーレー２１、きたかみ１号、みちのく１号、みちのく２号に代表されるバーレー種（Burley）などが挙げられる。
【００４０】
本発明のたばこわき芽抑制剤の使用量は、品種、方法、使用時期によって異なるが、１株あたりの使用量は、散布液で５〜４０ｍｌが望ましく、１５〜３０ｍｌがより望ましい。
【００４１】
また、本発明のたばこわき芽抑制剤の施用回数としては、たばこ開花前または心止前に１回目の施用を行なった場合や、心止後に１回目の散布を行なってもたばこの樹勢が強い場合には、１回目の施用２週後に２回目の散布を１回目と同様に行なうと効果的である。
【００４２】
本発明のたばこわき芽抑制剤は、効力をさらに増大させるために、さらに公知の除草剤を含有しても良い。除草剤の例としては以下のものが挙げられる。
アイオキシニル（ioxynil）、アクロニフェン（aclonifen）、アジプロトリン（aziprotryne）、アシフルオルフェンナトリウム塩（acifluorfen-sodium）、アジムスルフロン（azimsulfuron）、アシュラム（asulam）、アトラジン（atrazine）、アザフェニジン（azafenidin）、アミカルバゾン（amicarbazone）、アミドスルフロン（amidosulfuron）、アミトロール（amitrole）、アミノシクロピラクロール（aminocyclopyrachlor)、アミノピラリド（aminopyralid）、アミプロホスメチル（amiprophos-methyl）、アメトリン（ametryne）、アロキシジム（alloxydim）、イソウロン（isouron）、イソキサクロルトール（isoxachlortole）、イソキサフルトール（isoxaflutole）、イソキサベン（isoxaben）、イソプロツロン（isoproturon）、イマザキン（imazaquin）、イマザピック（imazapic）、イマザピル（imazapyr）、イマザメタベンズメチル（imazamethabenz-methyl）、イマザモックスアンモニウム塩（imazamox-ammonium）、イマゼタピル（imazethapyr）、イマゾスルフロン（imazosulfuron）、インダジフラム（indaziflam)、エグリナジンエチル（eglinazine-ethyl）、エスプロカルブ（esprocarb）、エタルフルラリン（ethalfluralin）、エタメトスルフロンメチル（ethametsulfuron-methyl）、エチジムロン（ethidimuron）、エトキシスルフロン（ethoxysulfuron）、エトキシフェンエチル（ethoxyfen-ethyl）、エトフメセート（ethofumesate）、エトベンザニド（etobenzanid）、エンドタール二ナトリウム（endothal disodium）、オキサジアゾン（oxadiazon）、オキサジアルギル（oxadiargyl）、オキサジクロメホン（oxaziclomefone）、オキサスルフロン（oxasulfuron）、オキシフルオルフェン（oxyfluorfen）、オリザリン（oryzalin）、オルソスルファムロン（orthosulfamuron）、オルソベンカーブ（orthobencarb）、オレイン酸（oleic acid）、カルフェントラゾンエチル（carfentrazone-ethyl）、カルベタミド（carbetamide）、キザロホップエチル（quizalofop-P-ethyl）、キノクラミン（quinoclamine）、キンクロラック（quinclorac）、キンメラック（quinmerac）、クミルロン（cumyluron）、クレトジム（clethodim）、クロジナホッププロパルギル（clodinafop-propargyl）、クロピラリド（clopyralid）、クロマゾン（clomazone）、クロメトキシフェン（chlomethoxyfen）、クロメプロップ（clomeprop）、クロランスラムメチル（cloransulam-methyl）、クロラムベン（chloramben）、クロリムロンエチル（chlorimuron-ethyl）、クロルチアミド（DCBN）、クロルフタリム（chlorphthalim）、クロロキシウロン（chloroxuron）、クロルスルフロン（chlorsulfuron）、クロルニトロフェン（chlornitrofen）、クロルブファム（chlorbufam）、クロルフルレノールメチル（chlorflurenol-methyl）、クロルプロファム（chlorpropham）、クロルブロムロン（chlorbromuron）、クロロトルロン（chlorotoluron）、クロロ酢酸（chloroacetic acid）、ザントモナス キャンペストリス（Xanthomonas campestris）、シアナジン（cyanazine）、シアン酸ナトリウム塩（sodium cyanate）、シクロエート（cycloate）、シクロキシジム（cycloxydim）、ジクロスラム（diclosulam）、シクロスルファムロン（cyclosulfamuron）、ジクロルプロップ（dichlorprop）、ジクロベニル（DBN）、ジクロホップメチル（diclofop-methyl）、ジクワット（diquat-dibromide）、ジチオピル（dithiopyr）、シデュロン（siduron）、ジニトラミン（dinitramine）、シニドンエチル（cinidon-ethyl）、シノスルフロン（cinosulfuron）、ジノセブ（dinoseb）、ジノターブ（dinoterb）、シハロホップブ��ル（cyhalofop-butyl）、ジフェノキシウロン（difenoxuron）、ジフェンゾコート（difenzoquat）、ジフルフェニカン（diflufenican）、ジフルフェンゾピル（diflufenzopyr）、ジプロペトリン（dipropetryn）、ジメタメトリン（dimethametryn）、シメトリン（simetryne）、ジメピペレート（dimepiperate）、ジメフロン（dimefuron）、シマジン（simazine）、シンメチリン（cinmethylin）、スルコトリオン（sulcotrione）、スルフェントラゾン（sulfentrazone）、スルホスルフロン（sulfosulfuron）、スルホメツロンメチル（sulfometuron-methyl）、セトキシジム（sethoxydim）、ターバシル（terbacil）、ターブチラジン（terbuthylazine）、ターブトリン（terbutryne）、ダイムロン（dymron）、ダゾメット（dazomet）、ターブメトン（terbumeton）、ダラポン（dalapon）、チアザフルロン（thiazafluron）、チアゾピル（thiazopyr）、チエンカルバゾン（thiencarbazone）、チオカルバジル（tiocarbazil）、チジアジミン（thidiazimin）、チフェンスルフロンメチル（thifensulfuron-methyl）、デスメディファム（desmedipham）、テトラピオン（tetrapion）、テブタム（tebutam）、テブチウロン（tebuthiuron）、テプラロキシジム（tepraloxydim）、テフリルトリオン（tefuryltrione）、デスメトリン（desmetryne）、テンボトリオン（tembotrione）、トプラメゾン（topramezone）、トラルコキシジム（tralkoxydim）、トリアジフラム（triaziflam）、トリアスルフロン（triasulfuron）、トリアレート（tri-allate）、トリエタジン（trietazine）、トリクロピル（triclopyr）、トリトスルフロン（tritosulfuron）、トリフェンスルフロン（triofensulfuron）、トリフルスルフロンメチル（triflusulfuron-methyl）、トリフルラリン（trifluralin）、トリフロキシスルフロンナトリウム塩（trifloxysulfuron-sodium）、トリベニュロンメチル（tribenuron-methyl）、ドレクスレラ モノセラス（Drechsrela monoceras）、ナプタラム（naptalam）、ニコスルフロン（nicosulfuron）、ネブロン（neburon）、ノルフルラゾン（norflurazon）、パラコートジクロライド（paraquat-dichloride）、ハロキシホップ（haloxyfop）、ハロサフェン（halosafen）、ハロスルフロンメチル（halosulfuron-methyl）、ビアラホス（bialaphos）、ピクロラム（picloram）、ピコリナフェン（picolinafen）、ビスピリバックナトリウム塩（bispyribac-sodium）、ピノキサデン（pinoxaden）、ビフェノックス（bifenox）、ピラクロニル（pyrachlonil）、ピラスルホトール（pyrasulfotole）、ピラゾキシフェン（pyrazoxyfen）、ピラゾスルフロンエチル（pyrazosulfuron-ethyl）、ピラゾレート（pyrazolate）、ピラゾン（pyrazon）、ピラフルフェンエチル（pyraflulfen-ethyl）、ピリダフォル（pyridafol）、ピリチオバックナトリウム塩（pyrithiobac-sodium）、ピリデート（pyridate）、ピリフタリド（pyriftalid）、ピリブチカルブ（pyributicarb）、ピリベンゾキシム（pyribenzoxim）、ピリミスルファン（pyrimisulfan）、ピリミノバックメチル（pyriminobac-methyl）、ピロキサスルホン（pyroxasulfone）、ピロキススラム（pyroxsulam）、プロメトリン（prometryne）、フェニュロン（fenuron）、フェノキサスルホン（fenoxasulfone)、フェノキサプロップエチル（fenoxaprop-P-ethyl）、フェンメディファム（phenmedipham）、フォサミンアンモニウム塩（fosamine-ammonium）、フォメサフェン（fomesafen）、フォラムスルフロン（foramsulfuron）、ブタフェナシル（butafenacil）、ブタミホス（butamiphos）、ブチレート（butylate）、ブトラリン（butralin）、ブトロキシジム（butroxydim）、フルメツラム（flumetsulam）、フラザスルフロン（flazasulfuron）、フラムプロップ（flamprop）、プリミスルフロンメチル（primisulfuron-methyl）、フルアジホップ（fluazifop）、フルアゾレート（fluazolate）、フルオメツロン（fluometuron）、フルオログリコフェンエチル（fluoroglycofen-ethyl）、フルカルバゾンナトリウム塩（flucarbazone-sodium）、フルクロラリン（fluchloralin）、フルセトスルフロン（flucetosufuron）、フルチアセットメチル（fluthiacet-methyl）、フルピルスルフロンメチルナトリウム塩（flupyrsulfuron-methyl-sodium）、フルフェンピルエチル（flufenpyr-ethyl）、フルポキサム（flupoxam）、フルミオキサジン（flumioxazin）、フルミクロラックペンチル（flumiclorac-pentyl）、フルリドン（fluridone）、フルレノール（flurenol）、プログリナジンエチル（proglinazine-ethyl）、プロジアミン（prodiamine）、プロスルフロン（prosulfuron）、プロパキザホップ（propaquizafop）、プロパジン（propazine）、プロパニル（propanil）、プロピザミド（propyzamide）、プロピリスルホン（propyrisulfuron)、プロファム（propham）、プロホキシジム（profoxydim）、プロフルアゾール（profluazol）、プロスルホカルブ（prosulfocarb）、プロポキシカルバゾンナトリウム塩（propoxycarbazone-sodium）、ブロマシル（bromacil）、プロメトン（prometon）、ブロモキシニル（bromoxynil）、ブロモフェノキシム（bromofenoxim）、ブロモブチド（bromobutide）、フロラスラム（florasulam）、フルロキシピル（fluroxypyr）、フルロクロリドン（flurochloridone）、フルルタモン（flurtamone）、ヘキサジノン（hexazinone）、ベナゾリンエチル（benazolin-ethyl）、ベネフィン（benefin）、ペノキススラム（penoxsulam）、ベフルブタミド（beflubutamid）、ペブレート（pebulate）、ペラルゴン酸（pelargonic acid）、バーノレート（vernolate）、ベンカルバゾン（bencarbazone）、ベンズフェンジゾン（benzfendizone）、ベンスリド（bensulide）、ベンスルフロンメチル（bensulfuron-methyl）、ベンゾビシクロン（benzobicyclon）、ベンゾフェナップ（benzofenap）、ベンタゾン（bentazon）、ペンタノクロール（pentanochlor）、ベンチオカーブ（benthiocarb）、ペンディメタリン（pendimethalin）、ペントキサゾン（pentoxazone）、ベンフレセート（benfuresate）、メソスルフロンメチル（mesosulfuron-methyl）、メソトリオン（mesotrione）、メタスルホカルブ（methasulfocarb）、メタベンゾチアズロン（methabenzthiazuron）、メタミトロン（metamitron）、メタミホップ（metamifop）、メタゾスルフロン（metazosulfuron)、メタム（metam）、ＭＳＭＡ（methylarsonic acid）、メチオゾリン（methiozolin）、メチルダイムロン（methyldymron）、メトキシウロン（metoxuron）、メトスラム（metosulam）、メトスルフロンメチル（metsulfuron-methyl）、メトプロトリン（methoprotryne）、メトブロムロン（metobromuron）、メトベンズロン（metobenzuron）、メトリブジン（metribuzin）、モノスルフロン（monosulfuron）、モノリニュロン（monolinuron）、モリネート（molinate）、ヨードスルフロンメチルナトリウム塩（iodosulfuron-methyl-sodium）、ラクトフェン（lactofen）、リニュロン（linuron）、リムスルフロン（rimsulfuron）、レナシル（lenacil）、ＤＣＭＵ（ジウロン、Diuron）、塩素酸ナトリウム塩（sodium chlorate）、２，３，６−ＴＢＡ（2,3,6-trichlorobenzoic acid）、２，４，５−Ｔ（2,4,5-trichlorophenoxyacetic acid）、２，４−ＤＢ（4-(2,4-dichlorophenoxy)butyric acid）、２，４−ＰＡ（2,4-Dichlorophenoxyacetic acid）、ＤＮＯＣ（4,6-dinitro-O-cresol）、ＥＰＴＣ（S-ethyl dipropylthiocarbamate）、ＭＣＰＡ（(4-chloro-2-methylphenoxy)acetic acid）、ＭＣＰＢ（4-(4-chloro-2-methylphenoxy)butryric acid）、ＭＤＢＡ（dicamba）、ＴＣＡ−ナトリウム塩（sodium-trichloroacetate）、ヘキサン酸、ヘプタン酸、オクタン酸、デカン酸、ウンデカン酸、ドデカン酸、トリメチルヘキサン酸、スギ精油、シダーウッドオイル、ヒノキ油、ユーカリオイル、クローブオイル、シトラスオイル、レモンオイル。
【００４３】
さらに作用の範囲を拡大するために、他の殺虫剤、殺菌剤、あるいは植物生長調節剤、肥料なども混合することもできる。
【実施例】
【００４４】
以下、本発明の実施例について説明する。
まず、製剤例を示すが、有効成分、添加剤の種類および配合比率は、下記の記載のみに限定されることなく広い範囲で変更可能である。なお、下記の例において「部」は「質量部」を表す。【００４５】
［製剤例１］
カフェンストロール（エス・ディー・エス  バイオテック製）１０部をＮ−メチルピロリドン４３部に溶解後、ＳＡＳ  ２９６（商品名：日本石油化学製）２２部、ソルポール３８８０Ｌ（商品名：東邦化学製）２５部を添加し撹拌、均一に溶解して乳剤を得た。【００４６】
［製剤例２］
テニルクロール（エス・ディー・エス  バイオテック製）１０部をＮ−メチルピロリドン４３部に溶解後、ＳＡＳ  ２９６（商品名：日本石油化学製）２２部、ソルポール３８８０Ｌ（商品名：東邦化学製）２５部を添加し撹拌、均一に溶解して乳剤を得た。【００４７】
［製剤例３］
アラクロール（和光純薬製）１０部をＮ−メチルピロリドン４３部に溶解後、ＳＡＳ  ２９６（商品名：日本石油化学製）２２部、ソルポール３８８０Ｌ（商品名：東邦化学製）２５部を添加し撹拌、均一に溶解して乳剤を得た。【００４８】
［製剤例４］
ブタクロール（和光純薬製）１０部をＮ−メチルピロリドン４３部に溶解後、ＳＡＳ  ２９６（商品名：日本石油化学製）２２部、ソルポール３８８０Ｌ（商品名：東邦化学製）２５部を添加し撹拌、均一に溶解して乳剤を得た。【００４９】
［製剤例５］
メトラクロール（和光純薬製）１０部をＮ−メチルピロリドン４３部に溶解後、ＳＡＳ  ２９６（商品名：日本石油化学製）２２部、ソルポール３８８０Ｌ（商品名：東邦化学製）２５部を添加し撹拌、均一に溶解して乳剤を得た。【００５０】
［製剤例６］
プレチラクロール（和光純薬製）１０部をＮ−メチルピロリドン４３部に溶解後、ＳＡＳ  ２９６（商品名：日本石油化学製）２２部、ソルポール３８８０Ｌ（商品名：東邦化学製）２５部を添加し撹拌、均一に溶解して乳剤を得た。【００５１】
［製剤例７］
ジメテナミド（和光純薬製）１０部をＮ−メチルピロリドン４３部に溶解後、ＳＡＳ  ２９６（商品名：日本石油化学製）２２部、ソルポール３８８０Ｌ（商品名：東邦化学製）２５部を添加し撹拌、均一に溶解して乳剤を得た。【００５２】
［製剤例８］
フェントラザミド（和光純薬製）１０部、プロピレングリコール１１部、ソルポール７２９０Ｐ（商品名：東邦化学製）３部、トキサノン  Ｎ１００（商品名：三洋化成工業製）０．１部、アンチホーム  Ｅ−２０（商品名：花王製）０．２部、クニピアＦ（商品名：クニピア製）１．５部、水７４．２部をよく混合し、粒度が５ミクロン以下になるまで湿式粉砕して、フロアブル剤を得た。【００５３】
［製剤例９］
インダノファン（和光純薬製）１０部、プロピレングリコール１１部、ソルポール７２９０Ｐ（商品名：東邦化学製）３部、トキサノン  Ｎ１００（商品名：三洋化成工業製）０．１部、アンチホーム  Ｅ−２０（商品名：花王製）０．２部、クニピアＦ（商品名：クニピア製）１．５部、水７４．２部をよく混合し、粒度が５ミクロン以下になるまで湿式粉砕して、フロアブル剤を得た。【００５４】
［製剤例１０］
プロピソクロール（シグマアルドリッチジャパン製）１０部をＮ−メチルピロリドン４３部に溶解後、ＳＡＳ  ２９６（商品名：日本石油化学製）２２部、ソルポール３８８０Ｌ（商品名：東邦化学製）２５部を添加し撹拌、均一に溶解して乳剤を得た。【００５５】
［製剤例１１］
カフェンストロール（エス・ディー・エス  バイオテック製）１０部、プロピレングリコール１１部、ソルポール７２９０Ｐ（商品名：東邦化学製）３部、トキサノン  Ｎ１００（商品名：三洋化成工業製）０．１部、アンチホーム  Ｅ−２０（商品名：花王製）０．２部、クニピアＦ（商品名：クニピア製）１．５部、水７４．２部をよく混合し、粒度が５ミクロン以下になるまで湿式粉砕して、フロアブル剤を得た。【００５６】
［製剤例１２］
テニルクロール（エス・ディー・エス  バイオテック製）１０部、プロピレングリコール１１部、ソルポール７２９０Ｐ（商品名：東邦化学製）３部、トキサノン  Ｎ１００（商品名：三洋化成工業製）０．１部、アンチホーム  Ｅ−２０（商品名：花王製）０．２部、クニピアＦ（商品名：クニピア製）１．５部、水７４．２部をよく混合し、粒度が５ミクロン以下になるまで湿式粉砕して、フロアブル剤を得た。【００５７】
［製剤例１３］
クロルタールジメチル（エス・ディー・エス  バイオテック製）１０部、プロピレングリコール１１部、ソルポール７２９０Ｐ（商品名：東邦化学製）３部、トキサノン  Ｎ１００（商品名：三洋化成工業製）０．１部、アンチホーム  Ｅ−２０（商品名：花王製）０．２部、クニピアＦ（商品名：クニピア製）１．５部、水７４．２部をよく混合し、粒度が５ミクロン以下になるまで湿式粉砕して、フロアブル剤を得た。【００５８】
次に、発明に係るたばこわき芽抑制剤の効果確認のために行なった試験例について説明する。【００５９】
［試験例１］
つくば１号（黄色種）およびみちのく１号（バーレー種）の実生のたばこ苗をクレハ園芸培土を詰めた１／５０００ａワグネルポットに移植した。植物は、温室内で生育させ、たばこ開花一輪時に花軸部を除去した（心止め）。
上記製剤例１〜１０で得た各々のたばこわき芽抑制剤の製剤について、所定濃度になるよう水で希釈し、スポット噴口ノズルを装着した接触型わき芽抑制剤散布器具を用いて、水希釈液で２０ｍｌの各抑制剤をそれぞれ散布した（実施例１〜１１、１２〜２２）。また、比較例としてブトルアリン（商品名：ブルーリボン）（比較例１、３）、デシルアルコール（商品名：コンタクト）（比較例２、４）を同様の方法で供試した。たばこは、黄色種およびバーレー種のいずれにおいても、１ポット１株植えとし、２反復で行った。
それぞれの場合について、散布から２８日後のわき芽抑制状態を、散布を行なわなかった無処理区と共に調査し、次式によってわき芽抑制率を算出した。
【数１】
0005927120.tif 000002
また、薬害の有無については、葉（上位１〜４葉）の生長抑制、壊疽、変色、奇形などの程度によって、以下の４段階に分けて評価した。
大：    激しい薬害が認められた
中：    明らかな薬害が認められた
小：    わずかな薬害が認められた
なし：  薬害が認められなかった
各例について、わき芽抑制率および薬害の有無を表１（黄色種）および表２（バーレー種）に示す。【００６０】
【表１】
0005927120.tif 000003
【００６１】
【表２】
0005927120.tif 000004
【００６２】
［試験例２］
上記製剤例１（カフェンストロール）、製剤例２（テニルクロール）、または製剤例１０（プロピソクロール）の製剤を所定濃度になるように水で希釈し、デシルアルコール（和光純薬製）、２−エチルヘキサノール（和光純薬製）、またはゲラニオール（和光純薬製）をそれぞれ所定濃度になるように混合、調整したものを供試した（実施例２３〜３１、３２〜４０）。また、比較例として、製剤例１、製剤例３、または製剤例１０の製剤を所定濃度になるように水で希釈したもの（比較例５〜７、１１〜１３）、デシルアルコール、２−エチルヘキサノール、またはゲラニオールを所定濃度になるよう水に希釈したもの（比較例８〜１０、１４〜１６）も供試した。
各抑制剤を試験例１と同様の方法で散布し、２８日後のわき芽抑制状態を散布を行なわなかった無処理区と共に調査し、わき芽抑制率を算出した。
結果を表３（黄色種）および表４（バーレー種）に示す。【００６３】
【表３】
0005927120.tif 000005
【００６４】
【表４】
0005927120.tif 000006
【００６５】
［試験例３］
上記製剤例１１（カフェンストロール）、製剤例１２（テニルクロール）、または製剤例１３（クロルタールジメチル）の製剤を所定濃度になるように水で希釈して、混合、調整したものを供試した（実施例４１〜５８、５９〜７６）。また、比較例として、製剤例１１、製剤例１２、または製剤例１３の製剤を所定濃度になるように水で希釈したもの（比較例２１〜２９、３４〜４２）、ブトルアリン（商品名：ブルーリボン）（比較例１７〜１８、３０〜３１）、デシルアルコール（商品名：コンタクト）（比較例１９〜２０、３２〜３３）も同様の方法で供試した。
各抑制剤を試験例１と同様の方法で散布し、２８日後のわき芽抑制状態を散布を行なわなかった無処理区と共に調査し、わき芽抑制率を算出した。
結果を表５（黄色種）および表６（バーレー種）に示す。【００６６】
【表５】
0005927120.tif 000007
【００６７】
【表６】
0005927120.tif 000008
【００６８】
なお、表３〜６中の括弧内の値は、混合剤（すなわち、有効成分として混用される化合物）のわき芽抑制効果の予想値、すなわち相加効果の期待値を示している。期待値は、以下に示すコルビー（Colby）の式（Colby. S. R.; "Calculating Synergistic and Antagonistic Responses of Herbicide Combinations" Weed, 15(1)巻, 20-22, 1967）によって算出した。
【数２】
0005927120.tif 000009
上記試験により測定した実測値（わき芽抑制率）が、この期待値より大きければ、わき芽抑制活性に相乗作用が発現したということになる。
【００６９】
表１および２に示されるように、本発明のたばこわき芽抑制剤は、黄色種とバーレー種のいずれに対しても、対照化合物よりも低濃度で９０％以上の高い抑制率を示した。さらに、本発明のたばこわき芽抑制剤においては、いずれも薬害は見られなかった（実施例１〜２２）。【００７０】
さらに、表３および４に示されるように、脂肪族アルコールを併用した本発明たばこわき芽抑制剤の全ての実測値（実施例２３〜４０）は、単一成分剤の実測値（比較例５〜１６）からの相加効果の期待値より大きく、相乗効果があることを示している。【００７１】
表５および６に示されるように、黄色種とバーレー種のいずれに対しても、カフェンストロールとクロルタールジメチルを併用した本発明たばこわき芽抑制剤（実施例４１〜４９、５９〜６７）、またはテニルクロールとクロルタールジメチルを併用した本発明たばこわき芽抑制剤（実施例５０〜５８、６８〜７６）の実測値は、単一成分剤の実測値（比較例２１〜２９、３４〜４２）からの相加効果の期待値より大きく、相乗効果があることを示している。本発明のたばこわき芽抑制剤は、対照化合物（比較例１７〜２０、３０〜３３）よりも低濃度で高い抑制率を示した。さらに、本発明のたばこわき芽抑制剤においては、いずれも薬害は見られなかった（実施例４１〜７６）。【００７２】
このように、本発明たばこわき芽抑制剤は、既存のたばこわき芽抑制剤と比較して、高いわき芽抑制効果を有し、さらに薬効持続性にも優れている。しかも、薬害も引きこさないという点でも本発明たばこわき芽抑制剤が優れていることが証明された。